(57)【要約】 【課題】画素ずれの発生を防止することができる光変調装置及びプロジェクタを提供すること。【解決手段】液晶パネル４４１を収容する保持枠５１の支持板５１Ｂを鉄ニッケル合金で構成する。これにより、支持板５１Ｂの膨張収縮量と、液晶パネル４４１の防塵板４４１Ｄの膨張収縮量との差が小さくなり、線膨張係数の差による歪が発生しにくくなる。また、保持枠５１の支持板５１Ｂが固定される上部パネル固定板５４Ａ及び下部パネル固定板５４Ｂを、鉄ニッケル合金で構成する。これにより、パネル固定板５４と、このパネル固定板５４に固定される支持板５１Ｂとの線膨張係数の差がなくなり、パネル固定板５４と、支持板５１Ｂとは熱に対し同じ寸法変化（膨張、収縮）を示すこととなる。【選択図】 図４
2005141061.tif 000002
【特許請求の範囲】
【請求項１】
光源から射出された光束を画像情報に応じて変調する光変調装置と、この光変調装置で形成された光学像を合成する色合成光学装置とを備える光学装置であって、
前記光変調装置を収容する凹型枠体及び前記光変調装置を前記凹型枠体に押圧固する支持板を有する保持枠と、
前記保持枠を、前記色合成光学装置の光束入射端面に固定する固定板とを備え、
前記固定板と、前記保持枠の凹型枠体及び支持板のうち、少なくとも、前記固定板に固定される何れか一方とは同じ材料から構成されており、
前記材料は鉄ニッケル合金であることを特徴とする光学装置。
【請求項２】
請求項１に記載の光学装置において、
前記鉄ニッケル合金は、３６Ｎｉ−Ｆｅ又は４２Ｎｉ-Ｆｅであることを特徴とする光学装置。
【請求項３】
請求項１又は２に記載の光学装置において、
前記固定板は、前記色合成光学装置の光束入射端面及び光束射出端面と直交する端面に取り付けられていることを特徴とする光学装置。
【請求項４】
請求項３に記載の光学装置において、
前記色合成光学装置の光束入射端面には、前記光変調装置から射出される光束の光学特性を変換する光学変換膜及びこの光学変換膜が貼り付けられる熱伝導性の透明基板を有する光学変換板が取り付けられており、
前記固定板上には、熱伝導性の台座が設置され、
前記光学変換板と、前記台座とを熱伝導可能に接続する熱伝導板が設けられていることを特徴とする光学装置。
【請求項５】
請求項４に記載の光学装置において、
前記固定板には、前記色合成光学装置との対向面及び前記台座との対向面間を貫通する開口が形成されていることを特徴とする光学装置。
【請求項６】
請求項１から５の何れかに記載の光学装置において、
前記保持枠の支持板は複数の孔を有し、
前記固定板には、保持枠側に突出し、前記保持枠の支持板に形成された孔に挿入される突出部が形成されており、
前記支持板と、固定板とが鉄ニッケル合金で構成されていることを特徴とする光学装置。
【請求項７】
光源から射出された光束を画像情報に応じて変調して光学像を拡大投射するプロジェクタであって、
請求項１から６の何れかに記載の光学装置を備えることを特徴とするプロジェクタ。
【発明の詳細な説明】
【技術分野】
【０００１】
本発明は、光学装置及びプロジェクタに関する。
【背景技術】
【０００２】
従来から、光源から射出された光束を複数の色光に分離する色分離光学系と、色光ごとに画像情報に応じて変調する複数の光変調装置と、各光変調装置で変調された光束を合成する色合成光学装置とを備えるプロジェクタが知られている。
このようなプロジェクタでは、小型化を図るために、色合成光学装置に対して光変調装置を固定した光学装置が採用されている。
このような光学装置では、光変調装置を保持枠に収容し、これを色合成光学装置の光束入射端面に取り付けられる固定板に固定している（例えば、特許文献１参照）。
【０００３】
【特許文献１】特開２０００−１０１８６号公報（第５〜第７頁、図５）
【発明の開示】
【発明が解決しようとする課題】
【０００４】
従来から、光変調装置を収容する保持枠は、アルミニウムやマグネシウム等の金属で構成されており、光変調装置は石英等のガラス材料から構成されているため、保持枠と、基板との線膨張係数の差が大きくなっている。そのため、保持枠の膨張収縮量は、光変調装置の膨張収縮量よりも大きくなってしまうため、膨張圧縮量の差に伴って発生する歪が光変調装置にかかってしまい、結果的にこの光学装置を介して投射された投射画像に画素ずれが発生してしまうという問題がある。
【０００５】
本発明の目的は、画素ずれの発生を防止することができる光変調装置及びプロジェクタを提供することである。
【課題を解決するための手段】
【０００６】
本発明の光学装置は、光源から射出された光束を画像情報に応じて変調する光変調装置と、この光変調装置で形成された光学像を合成する色合成光学装置とを備える光学装置であって、前記光変調装置を収容する凹型枠体及び前記光変調装置を前記凹型枠体に押圧固する支持板を有する保持枠と、前記保持枠を、前記色合成光学装置の光束入射端面に固定する固定板とを備え、前記固定板と、前記保持枠の凹型枠体及び支持板のうち、少なくとも、前記固定板に固定される何れか一方とは同じ材料から構成されており、前記材料は鉄ニッケル合金であることを特徴とする。
【０００７】
このような本発明によれば、保持枠のうち、少なくとも凹型枠体、支持板の何れかを鉄ニッケル合金で構成しているので、光変調装置を構成するガラス材料、例えば、防塵板を構成するサファイア基板との線膨張係数の差が小さくなる。これにより、保持枠の膨張収縮量と、光変調装置を構成するガラス材料の膨張収縮量との差が小さくなり、線膨張係数の差による歪が発生しにくくなる。これにより、投射画像の画素ずれの発生を防止することができる。
さらに、本発明では、色合成光学装置に取り付けられ、保持枠を固定する固定板も鉄ニッケル合金製としている。これにより、固定板と、保持枠の凹型枠体、支持板のうち、固定板に固定される何れか一方との線膨張係数の差がなくなり、固定板と、保持枠の一方とは熱に対し、同じ寸法変化（膨張、収縮）を示すこととなる。そのため、固定板と保持枠との間での膨張収縮量の差による歪の発生を防止でき、画素ずれの原因となる色合成光学装置に対する光変調装置の位置ずれの発生を防ぐことができる。これにより、より確実に投射画像の画素ずれの発生を防止することができ、画質の精度の向上を図ることができる。
以上のように、本発明の光学装置は、投射画像の画素ずれの発生を防止することができるので、光学装置からの投射画像の高精細化に対応することができる。
【０００８】
本発明では、前記鉄ニッケル合金は、３６Ｎｉ−Ｆｅ又は４２Ｎｉ-Ｆｅであることが好ましい。
このような本発明によれば、鉄ニッケル合金を３６Ｎｉ−Ｆｅ又は４２Ｎｉ-Ｆｅとしているので、光変調装置を構成するガラス材料、例えば、防塵板を構成するサファイア基板との線膨張係数の差をより小さくすることができ、確実に投射画像の画素ずれの発生を防止することができる。
【０００９】
さらに、本発明では、前記固定板は、前記色合成光学装置の光束入射端面及び光束射出端面と直交する端面に取り付けられていることが好ましい。
このような本発明によれば、固定板は、色合成光学装置の光束入射端面及び光束射出端面と直交する端面に取り付けられているので、光学装置の光束透過方向の厚さ寸法を薄くすることができる。
【００１０】
また、本発明では、前記色合成光学装置の光束入射端面には、前記光変調装置から射出される光束の光学特性を変換する光学変換膜及びこの光学変換膜が貼り付けられる熱伝導性の透明基板を有する光学変換板が取り付けられており、前記固定板上には、熱伝導性の台座が設置され、前記光学変換板と、前記台座とを熱伝導可能に接続する熱伝導板が設けられていることが好ましい。
このような本発明によれば、固定板上に熱伝導性の台座が設置されており、この台座と光学変換板とは熱伝導板により熱伝導可能に接続されているので、光学変換板で発生した熱は、熱伝導板を介して、台座に伝達される。これにより、光学変換板が放熱されることとなる。
【００１１】
本発明では、前記固定板には、前記色合成光学装置との対向面及び前記台座との対向面間を貫通する開口が形成されていることが好ましい。
このような本発明によれば、固定板に、前記開口を形成することで、固定板と色合成光学装置との接触面積が小さくなるため、光学変換板から台座に伝達された熱が、固定板に伝達されて、色合成光学装置に流れてしまうことを防止できる。
【００１２】
さらに、本発明では、前記保持枠の支持板は複数の孔を有し、前記固定板には、保持枠側に突出し、前記保持枠の支持板に形成された孔に挿入される突出部が形成されており、前記支持板と、固定板とが鉄ニッケル合金で構成されていることが好ましい。
このような本発明によれば、固定板に突出部が形成されており、支持板に形成された孔に前記突出部を挿入するだけで、固定板に保持枠を固定できるので、固定板と保持枠とを固定するための固定用の部材を設ける場合に比べ、部材点数の削減を図ることができる。
【００１３】
本発明のプロジェクタは、光源から射出された光束を画像情報に応じて変調して光学像を拡大投射するプロジェクタであって、上述した何れかの光学装置を備えることを特徴とする。
このような本発明によれば、上述した何れかの光学装置を備えているので、光学装置と同様の効果を奏することができる。すなわち、投射画像の画素ずれの発生を防止することができる。
【発明を実施するための最良の形態】
【００１４】
以下、本発明の実施形態を図面に基づいて説明する。
［１．第一実施形態］
［１−１．光学系の構成］
図１は本実施形態のプロジェクタ１の光学系を示す模式図である。
プロジェクタ１は、光源から射出された光束を画像情報に応じて変調し、スクリーン等の投射面上に拡大投射するものである。このプロジェクタ１は、インテグレータ照明光学系４１、色分離光学系４２、リレー光学系４３、光学装置４４、および投射レンズ４６を備えている。
インテグレータ照明光学系４１は、光学装置４４を構成する３枚の液晶パネル４４１（赤、緑、青の色光毎にそれぞれ液晶パネル４４１Ｒ，４４１Ｇ，４４１Ｂと示す）の画像形成領域をほぼ均一に照明するための光学系であり、光源装置４１１と、第１レンズアレイ４１２と、第２レンズアレイ４１３と、偏光変換光学素子４１４と、重畳レンズ４１５とを備えている。
【００１５】
これらのうち、光源装置４１１は、放射状の光線を射出する光源である光源ランプ４１６と、この光源ランプ４１６から射出された放射光を反射する楕円面鏡４１７と、光源ランプ４１６から射出され楕円面鏡４１７により反射された光を平行光とする平行化凹レンズ４１１Ａとを備える。なお、平行化凹レンズ４１１Ａの平面部分には、図示しないＵＶフィルタが設けられている。また、光源ランプ４１６としては、ハロゲンランプやメタルハライドランプ、高圧水銀ランプが多用される。さらに、楕円面鏡４１７および平行化凹レンズ４１１Ａの代わりに、放物面鏡を用いてもよい。
【００１６】
また、第１レンズアレイ４１２、第２レンズアレイ４１３、および偏光変換光学素子４１４は、一体的に組み合わされて光学部品用筐体３内（図２参照）に設置固定される。
第１レンズアレイ４１２は、光軸方向から見てほぼ矩形状の輪郭を有する小レンズがマトリクス状に配列された構成を有している。各小レンズは、光源ランプ４１６から射出される光束を、複数の部分光束に分割している。各小レンズの輪郭形状は、液晶パネル４４１の画像形成領域の形状とほぼ相似形をなすように設定されている。たとえば、液晶パネル４４１の画像形成領域のアスペクト比（横と縦の寸法の比率）が４：３であるならば、各小レンズのアスペクト比も４：３に設定する。
【００１７】
第２レンズアレイ４１３は、第１レンズアレイ４１２と略同様な構成を有しており、小レンズがマトリクス状に配列された構成を有している。この第２レンズアレイ４１２は、重畳レンズ４１５とともに、第１レンズアレイ４１２の各小レンズの像を液晶パネル４４１上に結像させる機能を有している。
【００１８】
偏光変換光学素子４１４は、第２レンズアレイ４１３と重畳レンズ４１５との間に配置されるとともに、第２レンズアレイ４１３と一体でユニット化されている。このような偏光変換光学素子４１４は、第２レンズアレイ４１３からの光を１種類の偏光光に変換するものであり、これにより、光学装置４４での光の利用効率が高められている。
【００１９】
具体的に、偏光変換光学素子４１４によって１種類の偏光光に変換された各部分光は、重畳レンズ４１５によって最終的に光学装置４４の液晶パネル４４１Ｒ，４４１Ｇ，４４１Ｂ上にほぼ重畳される。偏光光を変調するタイプの液晶パネルを用いたプロジェクタでは、１種類の偏光光しか利用できないため、ランダムな偏光光を発する光源ランプ４１６からの光のほぼ半分を利用することができない。
そこで、偏光変換光学素子４１４を用いることにより、光源ランプ４１６からの射出光をほぼ１種類の偏光光に変換し、光学装置４４での光の利用効率を高めている。なお、このような偏光変換光学素子４１４は、たとえば特開平８−３０４７３９号公報に紹介されている。
【００２０】
色分離光学系４２は、２枚のダイクロイックミラー４２１，４２２と、反射ミラー４２３とを備え、ダイクロイックミラー４２１、４２２によりインテグレータ照明光学系４１から射出された複数の部分光束を赤、緑、青の３色の色光に分離する機能を有している。
【００２１】
リレー光学系４３は、入射側レンズ４３１、リレーレンズ４３３、および反射ミラー４３２、４３４を備え、色分離光学系４２で分離された色光、赤色光を液晶パネル４４１Ｒまで導く機能を有している。
【００２２】
この際、色分離光学系４２のダイクロイックミラー４２１では、インテグレータ照明光学系４１から射出された光束の青色光成分が反射するとともに、赤色光成分と緑色光成分とが透過する。ダイクロイックミラー４２１によって反射した青色光は、反射ミラー４２３で反射し、フィールドレンズ４１８を通って青色用の液晶パネル４４１Ｂに達する。このフィールドレンズ４１８は、第２レンズアレイ４１３から射出された各部分光束をその中心軸（主光線）に対して平行な光束に変換する。他の液晶パネル４４１Ｇ、４４１Ｒの光入射側に設けられたフィールドレンズ４１８も同様である。
【００２３】
ダイクロイックミラー４２１を透過した赤色光と緑色光のうちで、緑色光はダイクロイックミラー４２２によって反射し、フィールドレンズ４１８を通って緑色用の液晶パネル４４１Ｇに達する。一方、赤色光はダイクロイックミラー４２２を透過してリレー光学系４３を通り、さらにフィールドレンズ４１８を通って赤色光用の液晶パネル４４１Ｒに達する。なお、赤色光にリレー光学系４３が用いられているのは、赤色光の光路の長さが他の色光の光路長さよりも長いため、光の発散等による光の利用効率の低下を防止するためである。すなわち、入射側レンズ４３１に入射した部分光束をそのまま、フィールドレンズ４１８に伝えるためである。
なお、リレー光学系４３には、３つの色光のうち、赤色光を通す構成としたが、これに限らず、例えば、青色光を通す構成としてもよい。
【００２４】
光学装置４４は、色分離光学系４２で分離された各色光が入射される３つの入射側偏光板４４２と、各入射側偏光板４４２の後段に配置される光変調装置としての液晶パネル４４１Ｒ，４４１Ｇ，４４１Ｂと、各液晶パネル４４１Ｒ，４４１Ｇ，４４１Ｂの後段に配置される光学変換板４４３と、色合成光学系としてのクロスダイクロイックプリズム４４４とを備える。これらの各部材のうち、液晶パネル４４１、光学変換板４４３、クロスダイクロイックプリズム４４４は一体化されて後述する光学装置本体５として構成されている。
【００２５】
液晶パネル４４１Ｒ，４４１Ｇ，４４１Ｂは、例えば、ポリシリコンＴＦＴをスイッチング素子として用いたものであり、色分離光学系４２で分離された各色光は、これら３枚の液晶パネル４４１Ｒ，４４１Ｇ，４４１Ｂと入射側偏光板４４２および光学変換板４４３によって、画像情報に応じて変調されて光学像を形成する。
具体的には、図４に示すように、液晶パネル４４１Ｒ，４４１Ｇ，４４１Ｂは、ＴＦＴのスイッチング素子がマトリックス状に配列し、該スイッチング素子によって電圧が印加される画素電極を備えた駆動基板４４１Ａと、画素電極に対応して対向電極を備えた対向基板４４１Ｃとを備えている。さらに、これらの基板４４１Ａまたは４４１Ｃ上には、投射レンズ４６のバックフォーカス位置から液晶パネル４４１のパネル面の位置をずらして光学的にパネル表面に付着したゴミを目立たなくするための防塵板４４１Ｄが固着されている。この防塵板４４１Ｄは、サファイアガラスや石英で構成される。
【００２６】
入射側偏光板４４２は、色分離光学系４２で分離された各色光のうち、一定方向の偏光光のみ透過させ、その他の光束を吸収するものであり、サファイアガラス等の基板に光学変換膜としての偏光膜が貼付されたものである。また、基板を用いずに、偏光膜をフィールドレンズ４１８に貼り付けてもよい。
【００２７】
光学変換板４４３は、第一光学変換板４４３Ａと、第二光学変換板４４３Ｂとを備える（図４参照）。
第一光学変換板４４３Ａは、入射側偏光板４４２と略同様に構成され、液晶パネル４４１（４４１Ｒ，４４１Ｇ，４４１Ｂ）から射出された光束のうち、所定方向の偏光光のみ透過させ、その他の光束を吸収するものである。透過させる偏光光の偏光軸は、入射側偏光板４４２における透過させる偏光光の偏光軸に対して直交するように設定されている。この第一光学変換板４４３Ａは、クロスダイクロイックプリズム４４４の光束入射端面に貼り付けられる、例えば、水晶製の透明基板４４３Ａ１と、この透明基板４４３Ａ１の光束入射端面に貼り付けられる光学変換膜としての偏光膜４４３Ａ２とを備える。
なお、本実施形態では、透明基板４４３Ａ１を水晶製としたが、これに限らず、例えば、サファイアガラス、石英等で構成してもよい。
第二光学変換板４４３Ｂは、液晶パネル４４１から射出された光束のうち、所定方向の偏光光のみを透過させ、その他の光束を吸収するとともに、液晶パネル４４１から射出された光束の視野角を拡大する。この第二光学変換板４４３Ｂは、透明基板４４３Ｂ１と、この透明基板４４３Ｂ１の光束射出端面に貼り付けられる偏光膜４４３Ｂ２と、透明基板４４３Ｂ１の光束入射端面に貼り付けられる視野角補償膜４４３Ｂ３とを備える。
【００２８】
クロスダイクロイックプリズム４４４は、３枚の液晶パネル４４１Ｒ，４４１Ｇ，４４１Ｂから射出された各色光毎に変調された画像を合成してカラー画像を形成するものである。なお、クロスダイクロイックプリズム４４４には、赤色光を反射する誘電体多層膜と青色光を反射する誘電体多層膜とが、４つの直角プリズムの界面に沿って略Ｘ字状に形成され、これらの誘電体多層膜によって３つの色光が合成される。そして、プリズム４４４で合成されたカラー画像は、投射レンズ４６から射出され、スクリーン上に拡大投射される。
以上のような光学系は、図２に示すような平面略Ｌ字形状の光学部品用筐体３に収容されている。この光学部品用筐体３は、光学系を構成する光学部品を収容する容器状の部品収納部材３１と、部品収納部材３１の開口を塞ぐ板状の蓋状部材３２とを備える。さらに、この光学部品用筐体３は、アッパーケース２１及びロア−ケース２２を備える外装ケース２に収容される。
【００２９】
［１−２．光学装置本体の構成］
次に、図３〜図１１を参照して、光学装置本体５の構造について説明する。
前述したように、液晶パネル４４１、光学変換板４４３およびクロスダイクロイックプリズム４４４は、一体的にユニット化された光学装置本体５として構成されている。
図３は、光学装置本体５を示す斜視図であり、図４は光学装置本体５を示す分解斜視図である。また、図５は、光学装置本体５の断面図である。さらに、図６〜図１１は、光学装置本体５の組み立て工程の各工程における光学装置本体５を示す斜視図である。
この光学装置本体５は、上述した液晶パネル４４１、光学変換板４４３およびクロスダイクロイックプリズム４４４のほかに、保持枠５１、台座５２、プリズム固定板５３、パネル固定板５４、熱伝導板５５、ピンスペーサ５６、熱伝導支持体５７を備える。
【００３０】
保持枠５１は、液晶パネル４４１を収容し、保持するためのものであり、図４及び図５に示すように、液晶パネル４４１を収容する凹型枠体５１Ａと、この凹型枠体５１Ａと係合し、凹型枠体５１Ａ内に収容された液晶パネル４４１を凹型枠体５１Ａに対して押圧固定する支持板５１Ｂとを備える。
これらの凹型枠体５１Ａ及び支持板５１Ｂには、液晶パネル４４１のパネル面に対応する位置に開口５１Ｃが形成されている。そして、液晶パネル４４１は、この開口で露出し、この部分が画像形成領域となる。
凹型枠体５１Ａは、光束射出端面の中央部分が光束入射端面側に窪んでおり、この部分に液晶パネル４４１を収容する構造となっている。また、この凹型枠体５１Ａは光束入射方向から見て平面略矩形形状となっており、その四隅は切りかかれている。これにより、ピンスペーサ５６との干渉が防止されている。
さらに、この凹型枠体５１Ａの光束入射端面の上側部分には、上端部から開口に向かって延びる複数の放熱フィン５１Ａ１が形成されている。また、凹型枠体５１Ａの光束入射端面の下側部分５１Ａ２は、支持板５１Ｂ側に向かって傾斜しており、先端部分には切り欠きが形成されている（図５，１１参照）。
また、このような凹型枠体５１Ａの窪み部分の側面内側には、支持板５１Ｂと係合するための係合溝（図示略）が形成されている。
以上のような、凹型枠体５１Ａは、アルミニウム合金、マグネシウム合金等で熱伝導率の高い材料で構成されていることが好ましい。例えば、ＡＤＣ１２や、ＡＺ９１Ｄ等が例示できる。
このような熱伝導率の高い材料で凹型枠体５１Ａを構成することで、液晶パネル４４１からの熱を効率よく伝達することができる。
【００３１】
支持板５１Ｂは、光束入射側から見て平面略矩形形状であり、四隅に孔５１Ｂ１が形成されている。この孔５１Ｂ１は、ピンスペーサ５６を挿入するためのものである。
また、この支持板５１Ｂの左右辺縁には、光束入射側に突出した係合部５１Ｂ２が形成されている。この係合部５１Ｂ２は、凹型枠体５１Ａの窪み部分内側に挿入されて、係合部５１Ｂ２の係合突起が凹型枠体５１Ａの係合溝と係合する。この係合部５１Ｂ２と係合溝とを係合することで、凹型枠体５１Ａと支持板５１Ｂとが固定されることとなる。
この支持板５１Ｂの厚さ寸法は、例えば、０．５ｍｍ〜０．６ｍｍ程度である。
このような支持板５１Ｂを構成する材料は、鉄ニッケル合金であり、例えば、３６Ｎｉ−Ｆｅ、４２Ｎｉ-Ｆｅ等が例示できる。
【００３２】
支持板５１Ｂに鉄ニッケル合金を使用することで、支持板５１Ｂの線膨張係数と、液晶パネル４４１の防塵板４４１Ｄの線膨張係数との差を小さくすることができる。支持板５１Ｂを従来のように、マグネシウム合金（ＡＺ91Ｄ）で構成した場合には、線膨張係数は、２７．４×１０−６／Ｋとなり、石英製の防塵板４４１Ｄの線膨張係数０．４８×１０−６／Ｋと大きな差がある。
これに対し、本実施形態のように、支持板５１Ｂを鉄ニッケル合金（例えば、３６Ｎｉ−Ｆｅ）で構成することで、線膨張係数４．３×１０−６／Ｋとなり、防塵板４４１Ｄとの差が小さくなる。
これにより、支持板５１Ｂの膨張収縮量と、液晶パネル４４１の防塵板４４１Ｄの膨張収縮量との差が小さくなり、線膨張係数の差による歪が発生しにくくなる。従って、液晶パネル４４１の歪による位置ずれの発生を防止でき、投射画像の画素ずれの発生を防止することができる。
なお、支持板５１Ｂを鉄ニッケル合金で構成した場合には熱伝導率が、１２．６（Ｗ／（ｍ・Ｋ））と比較的低くなるが、支持板５１Ｂの厚みを０．５ｍｍ〜０．６ｍｍ程度としており、所定の厚みを確保して断面積を大きくしているので、熱抵抗を低くすることができ、所定の熱伝導を確保することができる。従って、液晶パネル４４１で発生した熱が支持板５１Ｂに伝達された場合であっても、この熱を凹型枠体５１Ａに伝達させて、後述する熱伝導支持体５７に放熱することができる。
【００３３】
プリズム固定板５３は、図５及び図９に示すように、クロスダイクロイックプリズム４４４の下端面に配置されるものであり、熱伝導支持体５７の後述する枠部に嵌合する。このプリズム固定板５３の下部周縁には段部５３Ａが形成されており、この段部５３Ａは、熱伝導支持体５７の枠部の段部に当接する。
また、このプリズム固定板５３の上部（クロスダイクロイックプリズム４４４）側には、上方に突出した突出部５３Ｂが形成されている。突出部５３Ｂは、熱伝導支持体５７の枠部よりも上方に突出し、クロスダイクロイックプリズム４４４に当接する。
さらに、このようなプリズム固定板５３の下面略中央には、プリズム固定板５３を部品収納部材３１に固定するためのねじを螺合するねじ孔５３Ｃが形成されている。また、このねじ孔５３Ｃの周囲には、下方に突出する位置決め用の突起５３Ｄが形成されている。
このようなプリズム固定板５３は、熱伝導性の材料、例えば、マグネシウム合金（例えばＡＺ９１Ｄ）、カーボンナノチューブ等のカーボンフィラーを混入させたポリカーボネート、ポリフェニレンサルファイド等の樹脂（例えば、ＰＣ−ＧＦ４０）等から構成されている。
【００３４】
パネル固定板５４は、液晶パネル４４１を収容した保持枠５１をクロスダイクロイックプリズム４４４の光束入射端面に固定する固定板であり、クロスダイクロイックプリズム４４４の光束入射端面及び光束射出端面と直交する端面のうち、一方の端面、すなわち、上端面に取り付けられる上部パネル固定板５４Ａと、他方の端面、すなわち、下端面に取り付けられる下部パネル固定板５４Ｂとを備える（図５、図６、図９参照）。
このように、上部パネル固定板５４Ａ、下部パネル固定板５４Ｂを、クロスダイクロイックプリズム４４４の光束入射端面及び光束射出端面と直交する端面に取り付けることで、光学装置４４の光束透過方向の厚さ寸法を薄くすることができる。
【００３５】
上部パネル固定板５４Ａは、クロスダイクロイックプリズム４４４の上端面と略同じ大きさの平面矩形形状の板状部５４Ａ１と、この板状部５４Ａ１の四隅から、外方に突出する複数の突出部５４Ａ２とを備える。
突出部５４Ａ２は、板状部５４Ａ１の３辺の端部にそれぞれ設けられており、その突出方向先端は、上方に向かって屈曲している。すなわち、突出部５４Ａ２は、断面略Ｌ字型形状となっている。
この突出部５４Ａ２の突出方向先端の光束入射側の面には、保持枠５１の支持板５１Ｂの孔５１Ｂ１に挿入されたピンスペーサ５６が固定される。これにより、保持枠５１が上部パネル固定板５４Ａに固定され、液晶パネル４４１がクロスダイクロイックプリズム４４４の光束入射端面に取り付けられることとなる。
なお、クロスダイクロイックプリズム４４４の光束射出端面には、液晶パネル４４１は取り付けられないため、板状部５４Ａ１のクロスダイクロイックプリズム４４４の光束射出端面側に位置する辺には、突出部５４Ａ２は設けられていない。
【００３６】
下部パネル固定板５４Ｂは、クロスダイクロイックプリズム４４４の下端面と略同じ大きさの平面矩形形状の板状部５４Ｂ１と、この板状部５４Ｂ１の四隅に設けられた複数の突出部５４Ｂ２とを備える。
板状部５４Ｂ１の略中央には、前述したプリズム固定板５３が挿入される矩形形状の開口５４Ｂ３が形成されている。
突出部５４Ｂ２は、側面略Ｕ字型形状となっており、下方に向かって延出するとともに、その先端が上方に折り返されている。この突出部５４Ｂ２は、板状部５４Ｂ１の３辺の端部にそれぞれ設けられており、突出部５４Ｂ２の先端の光束入射側の面には、ピンスペーサ５６が固着される。これにより、保持枠５１が下部パネル固定板５４Ｂに固定され、液晶パネル４４１がクロスダイクロイックプリズム４４４の光束入射端面に取り付けられることとなる。
なお、クロスダイクロイックプリズム４４４の光束射出端面には、液晶パネル４４１は取り付けられないため、板状部５４Ｂ１のクロスダイクロイックプリズム４４４の光束射出端面側に位置する辺には、突出部５４Ｂ２は設けられていない。
また、この突出部５４Ｂ２の先端の内側には、後述する熱伝導板５５の突出部５５Ｂの下端部が差し込まれるため、この突出部６４Ｂ２は、熱伝導板５５をクロスダイクロイックプリズム４４４の光束入射端面に押し当てる役割も果たしている。
【００３７】
以上のような上部パネル固定板５４Ａ及び下部パネル固定板５４Ｂは、保持枠５１の支持板５１Ｂと同じ材料、すなわち、鉄ニッケル合金で構成されている。ここで、鉄ニッケル合金としては、３６Ｎｉ−Ｆｅ、４２Ｎｉ-Ｆｅ等が例示できる。
このように、パネル固定板５４を保持枠５１の支持板５１Ｂと同じ鉄ニッケル合金で構成することで、パネル固定板５４と、このパネル固定板５４に固定される支持板５１Ｂとの線膨張係数の差がなくなり、パネル固定板５４と、支持板５１Ｂとは熱に対し同じ寸法変化（膨張、収縮）を示すこととなる。そのため、パネル固定板５４と支持板５１Ｂとの間での膨張収縮量の差による歪の発生を防止でき、画素ずれの原因となるクロスダイクロイックプリズム４４４に対する液晶パネル４４１の位置ずれの発生を防ぐことができる。これにより、より確実に投射画像の画素ずれの発生を防止することができ、画質の精度の向上を図ることができる。そして、このように画素ずれを防止できるので、投射画像の高精細化にも対応することが可能となる。
【００３８】
台座５２は、図３〜図５に示すように、上部パネル固定板５４Ａの板状部５４Ａ１上に設置されるものであり、略直方体形状となっている。この台座５２の外周形状は、クロスダイクロイックプリズム４４４と略同じ大きさとなっている。この台座５２は、熱伝導性の材料で構成されており、例えば、マグネシウム合金（例えば、ＡＺ９１Ｄ等）等が挙げられる。この台座５２は、図２に示すように、光学部品用筐体３の蓋状部材３２から上方に突出しており、この台座５２上に取り付けられた熱伝導性の弾性部材５２１、例えば、熱伝導ゴム（低反発シリコン等）が光学部品用筐体３を収容する外装ケース２のアッパーケース２１の上面に当接している。
このような台座５２の３つの側面の下部には、それぞれ、外方に突出した平面矩形形状の板状突起５２２が形成されている。この板状突起５２２には、熱伝導性の板状弾性部材５８、例えば、無反発シリコンゴム等の熱伝導性のゴムが貼り付けられている。なお、光束射出側に位置する側面には、板状突起５２２は形成されておらず、板状弾性部材５８は貼り付けられていない。
【００３９】
熱伝導板５５は、図４及び図５に示すように、平板を板金加工することにより略矩形状に成形されたものである。そして、この熱伝導板５５は、クロスダイクロイックプリズム４４４の光束入射端面に貼り付けられるとともに、第二光学変換板４４３Ｂを支持固定するものである。
この熱伝導板５５は、板状部材５５Ａと、この板状部材５５Ａの左右の辺から光束入射側に突出する突出部５５Ｂとを備える。
なお、熱伝導板５５は、熱伝導率の高い材料から構成されていればよく、例えば、電気亜鉛メッキ鋼板、ＳＰＣＣの鋼板等で構成してもよく、熱伝導率の高い合成樹脂、鉄ニッケル合金、Ｍｇ合金、Ａｌ合金等で構成してもよい。
【００４０】
板状部材５５Ａにおいて、略中央部分には、切削等により開口５５Ａ１が形成されている。この開口５５Ａ１の寸法は、第一光学変換板４４３Ａの基板４４３Ａ１の外形寸法と略同一か若しくは若干大きく形成され、この開口５５Ａ１に基板４４３Ａ１が嵌合可能となっている。
この板状部材５５Ａと、第一光学変換板４４３Ａとの間の隙間は、熱伝導性の透明接着剤、例えば、シロキサンフリーシリコンＲＴＶ（常温加硫型シリコン）により埋められ、板状部材５５Ａと、第一光学変換板４４３Ａとが接着固定される。
また、板状部材５５Ａにおいて、上端部は、クロスダイクロイックプリズム４４４の光束入射端面よりも上方に突出した貼付部５５Ａ２となっている。この貼付部５５Ａ２には、上下辺縁略中央部分に開口５５Ａ１に向けて熱間挙動差吸収用の切り欠き５５Ａ３が形成されている。さらに、貼付部５５Ａ２の光束射出端面は、台座５２の側面に貼り付けられた板状弾性部材５８に当接する。これにより、第一光学変換板４４３Ａと、台座５２とが熱伝導可能に接続され、第一光学変換板４４３Ａからの熱が、熱伝導板５５の貼付部５５Ａ２、板状弾性部材５８、台座５２へと伝達される。このように、熱伝導板５５にクロスダイクロイックプリズム４４４の光束入射端面よりも上方に突出した貼付部５５Ａ２を形成することで、第一光学変換板４４３Ａの透明基板４４３Ａ１のサイズを大きくして、台座５２の板状弾性部材５８に接続しなくても、第一光学変換板４４３Ａで生じた熱を放熱することができる。これにより、第一光学変換板４４３Ａの透明基板４４３Ａ１のサイズの増加による光学装置４４のコスト増加を回避できる。
なお、第一光学変換板４４３Ａの透明基板４４３Ａ１は、クロスダイクロイックプリズム４４４の光束入射端面に貼り付けられているので、第一光学変換板４４３Ａで発生した熱の一部は、透明基板４４３Ａ１からクロスダイクロイックプリズム４４４に伝達され、さらに、上部パネル固定板５４Ａを介して、台座５２に伝達される。このように、第一光学変換板４４３Ａの熱を放熱するための放熱経路を２つ設けることで、放熱効率を高めることができる。
また、熱伝導板５５の貼付部５５Ａ２を板状弾性部材５８を介して台座５２に接続することで、熱伝導板５５と、台座５２との膨張収縮率が異なっている場合であっても、これを板状弾性部材５８にて吸収することができる。これにより、熱伝導板５５と台座５２との接続状態を保持することができる。
【００４１】
突出部５５Ｂは、板状部材５５Ａにおける開口５５Ａ１の左右辺縁に位置し、光束入射側に突出するとともに先端部分が開口５５Ａ１側に曲折し、断面視Ｌ字状に形成されている。
この突出部５５Ｂの突出寸法は、クロスダイクロイックプリズム４４４に対して第一光学変換板４４３Ａおよび熱伝導板５５が設置された状態で、第一光学変換板４４３Ａが熱伝導板５５の開口５５Ａ１から突出する寸法よりも大きく形成されている。この突出部５５Ｂにおいて、断面視Ｌ字状の光束入射端面に第二光学変換板４４３Ｂが熱伝導性両面テープを介して固着される。この熱伝導性両面テープとしては、例えば、ポリイミドを基材とした低熱抵抗のものが好ましい。
これにより、第二光学変換板４４３Ｂで発生した熱は、熱伝導板５５の突出部５５Ｂに伝達され、さらにこの熱は、熱伝導板５５の貼付部５５Ａ２、板状弾性部材５８、台座５２へと伝達される。これにより、第二光学変換板４４３Ｂで発生した熱を放熱することができる。
なお、突出部５５Ｂの下端部は、光束入射側面が切りかかれており、下部パネル固定板５４Ｂの突出部５４Ｂ２に挿入されている。
【００４２】
ピンスペーサ５６は、図４及び図５に示すように、液晶パネル４４１を収容した保持枠５１をパネル固定板５４に固定するためのものであり、平面略コ字形形状となっている。本実施形態では、各保持枠５１につき、ピンスペーサ５６は２個用いられている。
このピンスペーサ５６は、２つのピン部５６１と、このピン部５６１を連結する連結部５６２とを備え、これらは一体的に構成されている。
ピンスペーサ５６のピン部５６１を連結部５６２で連結した構造とすることで、ピンスペーサ５６をパネル固定板５４に取り付けた際の自重による傾きを防止することができる。
ピン部５６１は、保持枠５１の支持板５１Ｂの孔５１Ｂ１に挿入され、パネル固定板５４に固着されるものであり、略円柱形状に形成されている。
連結部５６２は、ピン部５６１の光束入射側に位置する端部に接続され、ピン部５６１と直交し、外方に延び、さらにその延出方向先端が９０°に屈曲して、液晶パネル４４１の光束透過方向に沿って延び、さらにまた、その延出方向先端が９０°に屈曲して、保持枠５１の光束入射端面に沿って上下方向に延びている。
光学装置本体５には、冷却空気が下方側から上方側に向かって吹き付けられているため、ピンスペーサ５６の連結部５６２は、冷却空気の流れに沿って延びていることとなる。これにより、ピンスペーサ５６の連結部５６２により冷却空気の流れが阻害されることがない。
なお、本実施形態では、連結部５６２を上下方向に沿って延びるようにピンスペーサ５６を設置していたが、これに限らず、例えば、連結部５６２が左右方向に沿って延びるようにピンスペーサ５６を設置してもよい。
【００４３】
以上のようなピン部５６１と連結部５６２とは一体成形されており、例えば、アクリル樹脂等で構成されている。
ピンスペーサ５６をアクリル樹脂で構成しているので、ピンスペーサ５６の弾性率が低くなり、保持枠５１の支持板５１Ｂや、パネル固定板５４が熱の影響を受けた場合に、ピンスペーサ５６が支持板５１Ｂや、パネル固定板５４の膨張、収縮を妨げることがない。これにより、ピンスペーサ５６とパネル固定板５４、ピンスペーサ５６と保持枠５１との間で不要な力が発生して、パネル固定板５４や、保持枠５１に歪等が生じてしまうことを防止することができる。
【００４４】
熱伝導支持体５７は、図４及び図５に示すように、プリズム固定板５３と接続されるものであり、光学装置４４全体を支持する。この熱伝導支持体５７は、部品収納部材３１の底面上に設置される。
熱伝導支持体５７は、平面略矩形形状の枠部５７１と、この枠部５７１の四隅から外方に延出した延出部５７２と、この延出部５７２の先端から上方に突出した柱状の４本の導熱部５７３とを備える。
枠部５７１は、その中央に開口が形成されており、この開口内側にプリズム固定板５３がはめ込まれる。この枠部５７１の開口内側下部には段部５７１Ａが形成されている。枠部５７１にはめ込まれたプリズム固定板５３は、その下面が前記開口から露出する。
なお、枠部５７１にプリズム固定板５３をはめ込んだ際、枠部５７１とクロスダイクロイックプリズム４４４の下端面に固定された下部パネル固定板５４Ｂとの間には隙間が形成される。
また、枠部５７１の外形寸法は、クロスダイクロイックプリズム４４４の外形寸法よりも大きくなっている。
【００４５】
延出部５７２は、枠部５７１の四隅に設けられており、この延出部５７２の上面には、光学装置４４が組み立てられた状態で、保持枠５１の左右端縁に沿って延びる導熱部５７３が設けられている。
導熱部５７３と、保持枠５１の凹型枠体５１Ａの側面との間には、両者に当接する熱伝導性部材５９（図３参照）、例えば、熱伝導ゴム（低分子シロキサンフリーシリコン等）が配置され、保持枠５１からの液晶パネル４４１の熱が導熱部５７３に伝導される構成となっている。
なお、本実施形態では、プリズム固定板５３と熱伝導支持体５７とを別体としたが、これに限らず、プリズム固定板と熱伝導支持体とを一体的に構成してもよい。
このような熱伝導支持体５７の枠部５７１、延出部５７２、導熱部５７３は、一体的に構成されており、例えば、マグネシウム合金（ＡＺ91Ｄ等）から構成されている。
【００４６】
以上のような光学装置本体５は、次のようにして組み立てられる。
まず、図６に示すように、クロスダイクロイックプリズム４４４の上端面に上部パネル固定板５４Ａを取り付け、さらに、クロスダイクロイックプリズム４４４の光束入射端面に第一光学変換板４４３Ａを貼り付ける。
また、クロスダイクロイックプリズム４４４の下端面にプリズム固定板５３を取り付ける。
次に、図７に示すように、上部パネル固定板５４Ａの板状部５４Ａ１上に、板状弾性部材５８が取り付けられた台座５２を設置する。
さらに、図８に示すように、クロスダイクロイックプリズム４４４の光束入射端面に、熱伝導板５５を取り付ける。この際、第一光学変換板４４３Ａと、熱伝導板５５とは熱伝導性の接着剤により固定する。
次に、図９に示すように、クロスダイクロイックプリズム４４４の下端面に下部パネル固定板５４Ｂを固着する。その後、図１０に示すように、熱伝導板５５の突出部５５Ｂの光束入射側に位置する面に第二光学変換板４４３Ｂを固定する。
さらに、図１１に示すように、液晶パネル４４１が収容された保持枠５１をパネル固定板５４に取り付ける。具体的には、保持枠５１の支持板５１Ｂの孔５１Ｂ１にピンスペーサ５６のピン部５６１を挿入し、このピン部５６１の先端を上部パネル固定板５４Ａ、下部パネル固定板５４Ｂに固着する。
そして、クロスダイクロイックプリズム４４４の下端面に取り付けられたプリズム固定板５３を熱伝導支持体５７の枠部５７１に挿入する。
さらに、熱伝導支持体５７の導熱部５７３と、保持枠５１の側面との間に、両者に当接する熱伝導性部材５９を設置する（図３参照）。また、台座５２上に弾性部材５２１を貼り付ける。
以上により光学装置本体５の組み立てが完了する。
【００４７】
［１−３．光学装置本体の放熱構造］
光源装置４１１からの光束の照射により、光学装置本体５の液晶パネル４４１、光学変換板４４３、クロスダイクロイックプリズム４４４では熱が発生する。光学装置本体５には、図示しないが、下方から上方に向かって冷却空気が吹き付けられており、これらの光学部品は、冷却空気による冷却と、熱伝達による放熱とにより冷却されている。
以下に光学装置本体５の放熱経路について説明する。
クロスダイクロイックプリズム４４４上には、上部パネル固定板５４Ａが設置され、この上部パネル固定板５４Ａ上には、熱伝導性の弾性部材５２１が取り付けられた台座５２が設置されている。従って、クロスダイクロイックプリズム４４４で発生した熱の一部は、上部パネル固定板５４Ａ、台座５２を介して熱伝導性の弾性部材５２１に伝達される。この熱伝導性の弾性部材５２１は、外装ケース２のアッパーケース２１の上面に当接しているので、クロスダイクロイックプリズム４４４で発生した熱の一部は、外装ケース２に伝達されて放熱される。
一方、クロスダイクロイックプリズム４４４の下端面には、プリズム固定板５３が取り付けられており、このプリズム固定板５３は、部品収納部材３１に固定されている。従って、クロスダイクロイックプリズム４４４で発生した熱の他の一部は、プリズム固定板５３に伝達されて、このプリズム固定板５３から部品収納部材３１に伝達されて放熱される。
【００４８】
次に、液晶パネル４４１の放熱経路について説明する。
液晶パネル４４１は、保持枠５１に収容されているため、液晶パネル４４１で発生した熱は、保持枠５１に伝達される。保持枠５１の凹型枠体５１Ａの側面と、熱伝導支持体５７の導熱部５７３との間には、両者に当接する熱伝導性部材５９が設置されているので、保持枠５１に伝達された熱は、熱伝導性部材５９を介して、熱伝導支持体５７に伝達される。熱伝導支持体５７は部品収納部材３１に設置されているので、熱伝導支持体５７に伝達された熱は、部品収納部材３１に伝達されて、放熱される。
なお、熱伝導支持体５７の枠部５７１と、下部パネル固定板５４Ｂとの間には、隙間が形成されているので、熱伝導支持体５７に伝達された熱が下部パネル固定板５４Ｂに伝達され、この下部パネル固定板５４Ｂからクロスダイクロイックプリズム４４４に熱が伝達されてしまうことがない。
【００４９】
光学変換板４４３の放熱経路について説明する。
光学変換板４４３のうち、第一光学変換板４４３Ａは、熱伝導性の透明接着剤により、熱伝導板５５に接続されているので、第一光学変換板４４３Ａで発生した熱は、熱伝導板５５に伝達される。
この熱伝導板５５は、その貼付部５５Ａ２が台座５２の側面に貼り付けられた板状弾性部材５８に当接しているため、熱伝導板５５に伝達された熱は、貼付部５５Ａ２、板状弾性部材５８、台座５２へと伝達され、熱伝導性の弾性部材５２１を介して外装ケース２に放熱される。
また、第一光学変換板４４３Ａの透明基板４４３Ａ１はクロスダイクロイックプリズム４４４の光束入射端面に固定されているため、第一光学変換板４４３Ａで発生した熱は、透明基板４４３Ａ１を介してクロスダイクロイックプリズム４４４に伝達される。さらに、この熱は、台座５２、熱伝導性の弾性部材５２１を介して、外装ケース２に伝達されて放熱される。
一方、光学変換板４４３のうち、第二光学変換板４４３Ｂは、熱伝導板５５の突出部５５Ｂに取り付けられているので、第二光学変換板４４３Ｂで発生した熱は、熱伝導板５５に伝達される。この熱伝導板５５は、前述したように、その貼付部５５Ａ２が台座５２の側面に貼り付けられた板状弾性部材５８に当接しているため、熱伝導板５５に伝達された熱は、貼付部５５Ａ２、板状弾性部材５８、台座５２へと伝達され、熱伝導性の弾性部材５２１を介して外装ケース２に放熱される。
【００５０】
以上のように、本実施形態では、液晶パネル４４１で発生した熱を熱伝導支持体５７を介して、部品収納部材３１に伝達し、放熱しており、光学変換板４４３で発生した熱を台座５２から、外装ケース２に放熱している。このように、液晶パネル４４１、光学変換板４４３で発生した熱の放熱経路を異なる経路とすることで、熱を分散させて効率的に放熱することができる。
【００５１】
［２．第二実施形態］
次に、図１２及び図１３を参照して本発明の第二実施形態について説明する。尚、以下の説明では、既に説明した部分と同一の部分については、同一符号を付してその説明を省略する。
図１２は、本実施形態の光学装置本体６から、液晶パネル４４１、第二光学変換板４４３Ｂ、保持枠５１、熱伝導板５５、ピンスペーサ５６、熱伝導支持体５７、下部パネル固定板５４Ｂを取り外した状態を示す斜視図であり、図１３は、本実施形態の光学装置本体６の断面図である。
前記実施形態の光学装置本体５と、本実施形態の光学装置本体６とでは、クロスダイクロイックプリズム４４４の上端面に取り付けられる上部パネル固定板の形状、及び台座の形状が異なっている。他の点においては、光学装置本体６は、光学装置本体５と同様である。
本実施形態のパネル固定板６４は、上部パネル固定板６４Ａと、前記実施形態と同様の下部パネル固定板５４Ｂとを備えている。
上部パネル固定板６４Ａは、中央に開口６４Ａ２が形成された平面矩形形状の枠状部６４Ａ１と、この枠状部６４Ａ１の四隅から突出し、前記実施形態と同様の構造の突出部５４Ａ２とを備える。
枠状部６４Ａ１の外形形状は、クロスダイクロイックプリズム４４４の上端面と略同じ大きさであり、中央に形成された矩形形状の開口６４Ａ２は、クロスダイクロイックプリズム４４４の上端面よりも小さな外形形状となっている。なお、この上部パネル固定板６４Ａは、前記実施形態の上部パネル固定板５４Ａと同様の材料で構成されている。
【００５２】
このような上部パネル固定板６４Ａの上面には、台座６２が設置されている。
この台座６２は、前記実施形態の台座５２と同様、略直方体形状であり、３つの側面の下部に、それぞれ板状突起５２２が形成されている。この板状突起５２２には、前記実施形態と同様に熱伝導性の板状弾性部材５８が貼り付けられている。
台座６２の下面略中央には、下方（クロスダイクロイックプリズム４４４側）に突出した下部突出部６２３が形成されている。この下部突出部６２３は、平面略矩形形状であり、上部パネル固定板６４Ａの枠状部６４Ａ１の開口６４Ａ２にはめ込み可能な外形寸法となっている。また、この下部突出部６２３の突出寸法は、枠状部６４Ａ１の厚さ寸法よりも若干大きな寸法となっている。従って、台座６２の下面であって下部突出部６２３の周囲の部分と、枠状部６４Ａ１との間には、隙間Ｓが形成されることとなる。
なお、このような台座６２は、前記実施形態の台座５２と同じ材料で構成される。
【００５３】
以上のような本実施形態では、上部パネル固定板６４Ａの枠状部６４Ａ１には、開口６４Ａ２が形成され、この開口６４Ａ２に台座６２の下部突出部６２３がはめ込まれており、この下部突出部６２３の突出寸法は、枠状部６４Ａ１の厚さ寸法よりも若干大きな寸法となっているので、上部パネル固定板６４Ａの枠状部６４Ａ１と、台座６２との下面との間には隙間Ｓが形成されている。そのため、光学変換板４４３から熱伝導板５５を介して、台座６２に伝達された熱が、上部パネル固定板６４Ａからクロスダイクロイックプリズム４４４に伝達されてしまうことがない。従って、クロスダイクロイックプリズム４４４に熱が溜まってしまうことがなく、台座６２から効率よく放熱することができる。
また、上部パネル固定板６４Ａの枠状部６４Ａ１には開口６４Ａ２が形成されているので、クロスダイクロイックプリズム４４４との接触面積を小さくすることができる。そのため、例え、台座６２からの熱が上部パネル固定板６４Ａに伝達されてしまっても、クロスダイクロイックプリズム４４４に熱が伝達されてしまうことを防止することができる。
【００５４】
［３．第三実施形態］
次に、図１４〜１７を参照して本発明の第三実施形態について説明する。
図１４及び図１５は本実施形態の光学装置本体７の斜視図であり、図１６は光学装置本体７の断面図である。さらに、図１７はパネル固定板７４を示す斜視図である。
本実施形態の光学装置本体７は、第一実施形態の光学装置本体５とでは、パネル固定板の形状が異なっている。また、本実施形態の光学装置本体７は、ピンスペーサ５６を備えていない。その他の点は、光学装置本体７は、第一実施形態の光学装置本体５と同様である。
本実施形態のパネル固定板７４は、クロスダイクロイックプリズム４４４の上端面に固定される上部パネル固定板７４Ａと、クロスダイクロイックプリズム４４４の下端面に固定される下部パネル固定板７４Ｂとを備える。
このパネル固定板７４は、第一実施形態のパネル固定板５４と形状が異なるものの、同じ材料から構成されている。
【００５５】
上部パネル固定板７４Ａは、図１７にも示すように、板状部５４Ａ１と、この板状部５４Ａ１の四隅から外方に突出する複数の突出部７４Ａ２とを備える。
突出部７４Ａ２は、前記実施形態の突出部５４Ａ２と同様、板状部５４Ａ１の３辺の端部にそれぞれ設けられている。
この突出部７４Ａ２は、板状部５４Ａ１から、板状部５４Ａ１と同一平面上で外方に延びる第一延出部７４Ａ４と、この第一延出部７４Ａ４に対して略直交して設けられ、上方に延びる第二延出部７４Ａ５と、この第二延出部７４Ａ５に略直交して設けられ、第一延出部７４Ａ４と略平行に延びる第三延出部７４Ａ６とを備えている。
第三延出部７４Ａ６の延出方向先端部７４Ａ６１の幅寸法は細くなっており、この先端部７４Ａ６１は、保持枠５１の支持板５１Ｂの孔５１Ｂ１のうち上部側に形成された孔５１Ｂ１に挿入され、これにより、上部パネル固定板７４Ａに保持枠５１が固定されることとなり、上部パネル固定板７４Ａは、保持枠５１を保持することとなる。
【００５６】
下部パネル固定板７４Ｂは、クロスダイクロイックプリズム４４４の下端面と略同じ大きさの平面矩形形状の板状部５４Ｂ１と、この板状部５４Ｂ１の四隅に設けられた複数の突出部７４Ｂ２とを備える。
突出部７４Ｂ２は、前記実施形態の突出部５４Ｂ２と同様、板状部５４Ｂ１の３辺の端部にそれぞれ設けられている。
突出部７４Ｂ２は、板状部５４Ｂ１と同一平面上で、板状部５４Ｂ１から外方に延びており、その延出方向先端部７４Ｂ２１の幅寸法は、上部パネル固定板７４Ａの突出部７４Ａ２の第三延出部７４Ａ６と同様、細くなっている。この先端部７４Ｂ２１は、保持枠５１の支持板５１Ｂの孔５１Ｂ１のうち、下部側に形成された孔５１Ｂ１に挿入される。これにより、下部パネル固定板７４Ｂに保持枠５１が固定されることとなり、下部パネル固定板７４Ｂは、保持枠５１を保持することとなる。
【００５７】
以上のような本実施形態では、上部パネル固定板７４Ａの突出部７４Ａ２の先端部７４Ａ６１、下部パネル固定板７４Ｂの突出部７４Ｂ２の先端部７４Ｂ２１を保持枠５１の支持板５１Ｂの孔５１Ｂ１に挿入することで、保持枠５１を上部パネル固定板７４Ａ、下部パネル固定板７４Ｂに固定しているため、保持枠５１をパネル固定板に固定するためのピンスペーサが不要となる。これにより部材点数の削減を図ることができる。
【００５８】
なお、本発明は前述の実施形態に限定されるものではなく、本発明の目的を達成できる範囲での変形、改良等は本発明に含まれるものである。
例えば、前記各実施形態では、保持枠５１の支持板５１Ｂに孔５１Ｂ１を形成し、支持板５１Ｂとパネル固定板５４，６４，７４と接続し、これらを鉄ニッケル合金で構成していたが、これに限らず、例えば、保持枠の凹型枠体の四隅をきりかかず、四隅に孔を形成し、この凹型枠体とパネル固定板とを接続する場合には、凹型枠体とパネル固定板とを鉄ニッケル合金で構成してもよい。
また、前記各実施形態では、光学変換板４４３で発生した熱を熱伝導板５５を介して台座５２に伝達させていたが、これに限らず、例えば、熱伝導板の板状部材の下端部を熱伝導支持体５７に当接させて、光学変換板４４３で発生した熱を熱伝導板を介して熱伝導支持体５７に伝達させてもよい。このようにした場合には、台座５２が不要となり、部材点数の削減を図ることができる。
さらに、前記各実施形態では、液晶パネル４４１で発生した熱は、保持枠５１から、熱伝導性部材５９を介して熱伝導支持体５７に伝達されるとしたが、これに限らず、液晶パネル４４１で発生した熱が台座５２に伝達される構造としてもよい。
【００５９】
前記各実施形態では、液晶パネル４４１を収容した保持枠５１をクロスダイクロイックプリズム４４４に固定するためのパネル固定板５４，６４，７４を上部パネル固定板５４Ａ，６４Ａ，７４Ａ、下部パネル固定板５４Ａ，７４Ｂから構成されるものとし、これらをクロスダイクロイックプリズム４４４の上端面、下端面にそれぞれ固定していたが、これに限られるものではない。例えば、パネル固定板を一枚で構成し、クロスダイクロイックプリズム４４４の光束入射端面に貼り付けてもよい。この場合には、パネル固定板の中央に光束透過用の開口を形成すればよい。
また、前記各実施形態では、入射側偏光板４４２は光学装置本体５，６，７と別体としていたが、これに限らず、例えば、ピンスペーサ５６の連結部５６２に入射側偏光板４４２を取り付けてもよい。このようにすることで、入射側偏光板４４２も一体化できるので、光学装置の取り扱いが容易となる。
【００６０】
さらに、前記各実施形態では、ピンスペーサ５６は、２つのピン部５６１と、このピン部５６１を連結する連結部５６２とを備えるものとしたが、連結部のないピンスペーサを使用してもよい。
また、第二実施形態では、台座６２に下部突出部６２３を形成し、この下部突出部６２３を上部パネル固定板６４Ａの枠状部６４Ａ１にはめ込んで、台座６２をクロスダイクロイックプリズム４４４上に設置していたが、これに限らず、第一実施形態と同様に台座に下部突出部６２３を形成せず、台座の下面を平坦な面とし、この台座を上部パネル固定板６４Ａの枠状部６４Ａ１上に設置してもよい。この場合には、台座と、枠状部６４Ａ１とが当接することとなるが、枠状部には開口が形成されているので、台座と枠状部との当接面積は小さなものとなる。従って、台座に伝達された熱は枠状部６４Ａ１には伝達されにくく、これにより、台座に伝達された熱が上部パネル固定板６４Ａの枠状部６４Ａ１を介してクロスダイクロイックプリズム４４４に流れてしまうことを防止できる。
さらに、前記各実施形態では、３つの液晶パネルを用いたプロジェクタを例示したが、本発明では、液晶パネルは２つであってもよく、また４つ以上であってもよい。
また、前記実施形態では、スクリーンを観察する方向から投射を行うフロント投射式のプロジェクタのみを例にあげたが、本発明では、スクリーンを観察する方向とは反対側から投射を行うリアタイプのプロジェクタにも適用できる。
【産業上の利用可能性】
【００６１】
本発明は、会議、学会、展示会等でのマルチメディアプレゼンテーション又は、家庭内等で映画鑑賞等に広く利用されるフロント投射式のプロジェクタに利用できるほか、リアプロジェクタにも利用することができる。
【図面の簡単な説明】
【００６２】
【図１】本発明の第一実施形態にかかるプロジェクタの光学系を示す模式図。
【図２】前記光学系が収納される光学部品用筐体及び外装ケースを示す斜視図。
【図３】光学装置本体を示す斜視図。
【図４】光学装置本体を示す分解斜視図。
【図５】光学装置本体を示す断面図。
【図６】光学装置本体の要部を示す斜視図。
【図７】光学装置本体の要部を示す斜視図。
【図８】光学装置本体の要部を示す斜視図。
【図９】光学装置本体の要部を示す斜視図。
【図１０】光学装置本体の要部を示す斜視図。
【図１１】光学装置本体の要部を示す斜視図。
【図１２】本発明の第二実施形態にかかる光学装置本体の要部を示す斜視図。
【図１３】前記光学装置本体を示す断面図。
【図１４】本発明の第三実施形態にかかる光学装置本体を示す斜視図。
【図１５】前記光学装置本体を示す斜視図。
【図１６】前記光学装置本体を示す断面図。
【図１７】前記光学装置本体に使用されるパネル固定板を示す斜視図。
【符号の説明】
【００６３】
１…プロジェクタ、５１…保持枠、５１Ａ…凹型枠体、５１Ｂ…支持板、５１Ｂ１…孔、５２…台座、５４，６４，７４…パネル固定板（固定板）、５５…熱伝導板、６２…台座、７４Ａ２…突出部、７４Ｂ２…突出部、４４１，４４１Ｒ，４４１Ｇ，４４１Ｂ…液晶パネル、４４３…光学変換板、４４３Ａ…第一光学変換板、４４３Ａ１…透明基板、４４３Ａ２…偏光膜（光学変換膜）、４４４…クロスダイクロイックプリズム
【図１】
2005141061.tif 000003
【図２】
2005141061.tif 000004
【図３】
2005141061.tif 000005
【図４】
2005141061.tif 000006
【図５】
2005141061.tif 000007
【図６】
2005141061.tif 000008
【図７】
2005141061.tif 000009
【図８】
2005141061.tif 000010
【図９】
2005141061.tif 000011
【図１０】
2005141061.tif 000012
【図１１】
2005141061.tif 000013
【図１２】
2005141061.tif 000014
【図１３】
2005141061.tif 000015
【図１４】
2005141061.tif 000016
【図１５】
2005141061.tif 000017
【図１６】
2005141061.tif 000018
【図１７】
2005141061.tif 000019